(57)【要約】      （修正有）【課題】任意のサイズや形状の機器を、耐荷重を考慮したピッチで固定することができるフリーサイズ架台を提供する。【解決手段】機器を固定するフリーサイズ架台であって、配列した床材（フロアー床２０）上に配置された荷重分散板２１に、複数の脚部が固定される架台本体と、架台本体上に配置される、第１の方向に延在する複数の第１の移動ベース４０（Ｘ軸）と、第１の移動ベース上に配置される、第２の方向に延在する複数の第２の移動ベース５０（Ｙ軸）と、を含み、複数の第１の移動ベース及び複数の第２の移動ベースの間隔は機器のサイズに合わせて調整可能であり、第１の移動ベースが架台本体に固定され、第１の移動ベースと第２の移動ベースとがその交差部で固定され、機器が第２の移動ベースに固定される。【選択図】図１
0003201833.tif 000002
【実用新案登録請求の範囲】
【請求項１】
機器を固定するフリーサイズ架台であって、
配列した床材上に配置された荷重分散板に、複数の脚部が固定される架台本体と、
前記架台本体上に配置される、第１の方向に延在する複数の第１の移動ベースと、
前記複数の第１の移動ベース上に配置される、前記第１の方向に直交する第２の方向に延在する複数の第２の移動ベースと、を含み、
前記複数の第１の移動ベース及び前記複数の第２の移動ベースの間隔は、前記機器のサイズに合わせて調整可能であり、
前記第１の移動ベースが前記架台本体に固定され、前記第１の移動ベースと前記第２の移動ベースとがその交差部で固定され、前記機器が前記第２の移動ベースに固定される、
ことを特徴とするフリーサイズ架台。
【請求項２】
前記第１の移動ベースは、延在方向に沿って上面に一定の幅の開口部が形成された枠部材であり、
前記第１の移動ベースの内部には、短辺が前記開口部の幅以下で長辺が前記開口部の幅を超えるサイズの第１の後入れナットが挿入可能であり、
前記第１の後入れナットを前記第１の移動ベースの内部に挿入後、前記第１の後入れナットの長辺を前記開口部の幅方向に回転させ、前記交差部において、前記第１の後入れナットを前記第２の移動ベースの上部から挿入した第１のボルトでねじ止めすることにより、前記第１の移動ベースと前記第２の移動ベースとが固定される、
ことを特徴とする請求項１に記載のフリーサイズ架台。
【請求項３】
前記第２の移動ベースは、延在方向に沿って上面に一定の幅の開口部が形成された枠部材であり、
前記第２の移動ベースの内部には、短辺が前記開口部の幅以下で長辺が前記開口部の幅を超えるサイズの第２の後入れナットが挿入可能であり、
前記第２の後入れナットを前記第２の移動ベースの内部に挿入後、前記第２の後入れナットの長辺を前記開口部の幅方向に回転させ、前記機器の固定部において、前記第２の後入れナットを前記機器のラックから挿入した第２の固定ボルトでねじ止めすることにより、前記第２の移動ベースと前記機器とが固定される、
ことを特徴とする請求項１又は２に記載のフリーサイズ架台。
【請求項４】
前記複数の第１の移動ベースの間隔は、前記床材のサイズに合わせて調整され、
前記第１の移動ベース内部の前記第１の後入れナットは、前記床材のサイズに合わせて配置され、
前記第１の後入れナット上に床受け部が配置され、
前記床受け部上に前記床材を配置することにより、前記機器が固定されていない領域が二重床構造になる、
ことを特徴とする請求項１乃至３のいずれか一に記載のフリーサイズ架台。
【請求項５】
前記第１の移動ベースと前記第２の移動ベースとの間に絶縁シートが配置され、前記機器が前記架台本体から絶縁された状態で固定される、
ことを特徴とする請求項１乃至４のいずれか一に記載のフリーサイズ架台。
【考案の詳細な説明】
【技術分野】
【０００１】
本考案は、機器を設置するための架台に関し、特に、コンピュータ機器のサイズや形状に合わせて固定位置を任意に変更可能なフリーサイズ架台に関する。
【背景技術】
【０００２】
サーバ装置などのコンピュータ機器の発達に従い、コンピュータ機器の形状やサイズは多種となり、重量も重くなっている。また、免震ビルや免震フロアー等も増えており、二重床構造も多く用いられている。このような場所にコンピュータ機器を設置する際には、コンピュータ機器の重量等を考慮して専用架台を製作し、その専用架台上にコンピュータ機器を固定している。
【０００３】
このようなコンピュータ機器を設置するための架台に関して、例えば、下記特許文献１には、取り付けビス穴が等間隔に設けられたラックに搭載機器を取り付ける構造が開示されている。
【先行技術文献】
【特許文献】
【０００４】
【特許文献１】特開２００９−１４５９９４号公報
【考案の概要】
【考案が解決しようとする課題】
【０００５】
専用架台を製作することによりコンピュータ機器を固定することができるが、コンピュータ機器によってラックの底面固定ピッチが異なるため、ピッチ等を確認した上で専用架台を製作しなければならず、製作に時間を要しコストが掛かるという問題がある。また、専用架台では、サイズや形状が異なるコンピュータ機器を固定したり、固定位置を変更したりすることができないため、汎用性に欠けるという問題もある。
【０００６】
本考案は、上記問題点に鑑みてなされたものであり、その主たる目的は、任意のサイズや形状の機器を、耐荷重を考慮したピッチで固定することができるフリーサイズ架台を提供することにある。
【課題を解決するための手段】
【０００７】
本考案の一側面は、機器を固定するフリーサイズ架台であって、配列した床材上に配置された荷重分散板に、複数の脚部が固定される架台本体と、前記架台本体上に配置される、第１の方向に延在する複数の第１の移動ベースと、前記複数の第１の移動ベース上に配置される、前記第１の方向に直交する第２の方向に延在する複数の第２の移動ベースと、を含み、前記複数の第１の移動ベース及び前記複数の第２の移動ベースの間隔は、前記機器のサイズに合わせて調整可能であり、前記第１の移動ベースが前記架台ユニットに固定され、前記第１の移動ベースと前記第２の移動ベースとがその交差部で固定され、前記機器が前記第２の移動ベースに固定されることを特徴とする。
【考案の効果】
【０００８】
本考案のフリーサイズ架台によれば、任意のサイズや形状の機器を、耐荷重を考慮したピッチで固定することができる。
【０００９】
その理由は、架台上に、第１の方向に延在する複数の第１の移動ベースを配置し、複数の第１の移動ベース上に、第２の方向に延在する複数の第２の移動ベースを配置し、固定する機器に合わせて第１の移動ベース及び第２の移動ベースの間隔を調整し、第１の移動ベースと第２の移動ベースとをその交差部で固定し、第２の移動ベース上に機器を固定するからである。
【図面の簡単な説明】
【００１０】
【図１】本考案の一実施例に係るフリーサイズ架台の構造を示す斜視図である。
【図２】本考案の一実施例に係るフリーサイズ架台のＸ軸移動ベースとＹ軸移動ベースの接続構造を示す斜視図である。
【図３】本考案の一実施例に係るフリーサイズ架台の移動ベースにおける後入れナットの使用方法を説明するための上面図及び側面図である。
【考案を実施するための形態】
【００１１】
背景技術で示したように、サーバ装置などのコンピュータ機器は、形状やサイズが様々であり、その重量も重くなっている。また、免震ビルや免震フロアー等も増えており、このような場所にコンピュータ機器を設置する際には、コンピュータ機器の重量等を考慮して専用架台を製作している。
【００１２】
しかしながら、コンピュータ機器によってラックの底面固定ピッチが異なるため、ピッチ等を確認した上で専用架台を製作しなければならず、製作に時間を要しコストが掛かる。また、専用架台では、サイズや形状が異なるコンピュータ機器を固定したり、固定位置を変更したりすることができないため、汎用性に欠ける。
【００１３】
例えば、現在のコンピュータ機器は重量が１０００ｋｇを超える機器も珍しくない。また、フロアー床の耐荷重が６００ｋｇ／ｍ２の場合、直置き設置では１台５００ｋｇ位が限界であり、スラブの耐荷重が８００ｋｇ／ｍ２の場合、架台等を使用した設置では１台６７０ｋｇ位が限界であるため、スラブ上に底辺拡大等の処置が必要となり、専用架台の製作に時間が掛かる。
【００１４】
そこで、本考案の一実施の形態では、架台上に配置される、第１の方向（Ｘ方向）に延在する複数の第１の移動ベースと、複数の第１の移動ベース上に配置される、第１の方向に直交する第２の方向（Ｙ方向）に延在する複数の第２の移動ベースとでフリーサイズ架台を形成する。そして、第１の移動ベースと第２の移動ベースとが交差する部分を、第１の移動ベース内部で移動可能なナットなどを用いて固定し、コンピュータ機器を、第２の移動ベース内部で移動可能なナットなどを用いて固定し、任意の底面固定ピッチのコンピュータ機器を確実に固定できるようにする。
【００１５】
このような構造により、設置するコンピュータ機器を決定する前に架台を施工することが可能となるため、スムーズなラック設置が可能となる。また、コンピュータ機器が設置されない部分を塞ぐ部材としてフロアー床を使用することができるため、既存フロアーと同等な仕上がりにすることができる。以下、図面を参照して説明する。
【実施例】
【００１６】
本考案の一実施例に係るフリーサイズ架台について、図１乃至図３を参照して説明する。図１は、本実施例のフリーサイズ架台の構造を示す斜視図であり、図２は、Ｘ軸移動ベースとＹ軸移動ベースの接続構造を示す斜視図である。また、図３は、本実施例の移動ベースにおける後入れナットの使用方法を説明するための上面図及び側面図である。
【００１７】
図１に示すように、本実施例のフリーサイズ架台１０は、フロアー床２０上に配置された荷重分散板２１に固定される架台であり、架台ユニットとＸ軸移動ベースユニットとＹ軸移動ベースユニットとを主な構成要素としている。
【００１８】
フロアー床２０（床材）は、例えば、６００ｍｍ×６００ｍｍ程度のサイズであり、このフロアー床２０が金属製の荷重分散板２１の下面に敷き詰められ、かつ、後述するように、移動ベース（Ｘ軸）４０のフロアー床受け４４上に配置される。
【００１９】
架台ユニットは、架台３０（架台本体）と架台固定ベース３１とレベラー３２と必要に応じて補助架台３０ａなどで構成される。架台３０は、その上部にＸ軸移動ベースユニットを配置するための金属製の枠体であり、必要に応じて補助架台３０ａが連結されてサイズが拡大される。また、架台３０には、フロアー床２０と同じ間隔（又はフロアー床２０の整数倍と同じ間隔）で脚部が設けられており、脚部において、架台固定ベース３１及びレベラー３２を介して荷重分散板２１上に固定される。なお、レベラー３２は、架台３０の上面を水平に維持するためのスペーサーである。
【００２０】
Ｘ軸移動ベースユニットは、移動ベース（Ｘ軸）４０と移動ベース（Ｘ軸）４０の内部及び上部に配置される構造物（絶縁シート４３やフロアー床受け４４と、後述する後入れナット４１や絶縁シート受け４２など）で構成される。移動ベース（Ｘ軸）４０はＸ軸方向に延在する金属製のレールであり、後述するように後入れナット４１が移動ベース（Ｘ軸）４０内で移動可能な構造になっている。また、移動ベース（Ｘ軸）４０上に配置される絶縁シート受け４２とゴムなどの絶縁部材からなる絶縁シート４３とにより、Ｙ軸移動ベースユニットが載置可能になると共に、絶縁シート受け４２と絶縁シート４３との上に配置されるフロアー床受け４４により、フロアー床２０が載置可能になる。
【００２１】
Ｙ軸移動ベースユニットは、移動ベース（Ｙ軸）５０とサイドフロアー受け５０ａと移動ベース（Ｙ軸）５０の内部及び上部に配置される構造物（ラック固定板５２やラック固定補助プレート５２ａ、ラック固定ボルト５３と、後述する後入れナット５１や絶縁間座５４、ベースチャンネル（Ｙ軸）固定ボルト５５など）で構成される。移動ベース（Ｙ軸）５０はＹ軸方向に延在する金属製のレールであり、後述するように後入れナット５１が移動ベース（Ｙ軸）５０内で移動可能な構造になっている。また、移動ベース（Ｘ軸）４０の少なくとも一方の端部に、サイドフロアー受け５０ａが配置されている。
【００２２】
そして、移動ベース（Ｘ軸）４０と移動ベース（Ｙ軸）５０とが交差する位置に後入れナット４１を動かし、後入れナット４１と後入れナット４１上に配置した絶縁シート受け４２及び絶縁シート４３とを、後述する絶縁間座５４を介してベースチャンネル（Ｙ軸）固定ボルト５５で固定することにより、移動ベース（Ｘ軸）４０と移動ベース（Ｙ軸）５０とが固定される。
【００２３】
また、フロアー床２０の間隔に合わせて、移動ベース（Ｘ軸）４０の間隔を調整すると共に後入れナット４１を動かし、後入れナット４１上に、絶縁シート受け４２、絶縁シート４３及びフロアー床受け４４を配置し、フロアー床受け４４上にフロアー床２０を配置することにより、機器が配置されない部分をフロアー床２０で塞ぐことができ、既存フロアーと同等な仕上がりにすることができる。なお、移動ベース（Ｘ軸）４０の端部に配置されるフロアー床２０は、サイドフロアー受け５０ａによりずれないように固定される。
【００２４】
また、コンピュータ機器に合わせて移動ベース（Ｙ軸）５０を移動すると共に後入れナット５１を動かし、後入れナット５１上にラック固定板５２を配置し、ラック固定板５２上に配置したコンピュータ機器のラックからラック固定ボルト５３を差し込んで固定することにより、移動ベース（Ｙ軸）５０とコンピュータ機器とが固定される。
【００２５】
なお、上記では、移動ベース（Ｘ軸）４０と移動ベース（Ｙ軸）５０との間に絶縁シート４３を介在させたが、移動ベース（Ｘ軸）４０と移動ベース（Ｙ軸）５０とを絶縁する必要がない場合は、絶縁シート受け４２や絶縁シート４３を省略することができる。
【００２６】
次に、移動ベース（Ｘ軸）４０と移動ベース（Ｙ軸）５０との接続構造について、図２及び図３を参照して詳細に説明する。
【００２７】
図２に示すように、移動ベース（Ｘ軸）４０は、延在方向に沿って上面に一定の幅の開口部が設けられた枠部材であり、移動ベース（Ｘ軸）４０の内部に後入れナット４１が配置される。また、移動ベース（Ｙ軸）５０も、延在方向に沿って上面に一定の幅の開口部が設けられた枠部材であり、移動ベース（Ｙ軸）５０の内部に後入れナット５１が配置される。また、移動ベース（Ｙ軸）５０の底面には、絶縁間座５４の底部が通り、頭部が通らないサイズの穴が形成されている。
【００２８】
この後入れナット４１は、図３に示すように、例えば、長方形の１対の対角を削った形状であり、長方形の短辺は移動ベース（Ｘ軸）４０の開口部の幅と略等しく、長方形の長辺は移動ベース（Ｘ軸）４０の開口部の幅よりも長くなっている。この後入れナット４１の長辺を移動ベース（Ｘ軸）４０の長手方向に合わせて挿入した後、図の矢印に示すように９０度回転させることにより、後入れナット４１が移動ベース（Ｘ軸）４０から外れないようになる。なお、後入れナット５１と移動ベース（Ｙ軸）５０の関係も同様である。
【００２９】
図２に戻って、後入れナット４１の上部には、絶縁シート受け４２と絶縁シート４３とが配置されている。絶縁シート受け４２には、ベースチャンネル（Ｙ軸）固定ボルト５５若しくは固定ボルト４５のねじ部が通過するサイズの穴が中央に形成され、絶縁シート４３には、絶縁間座５４の底部若しくは固定ボルト４５の頭部が入るサイズの穴が中央に形成されている。後入れナット４１と絶縁シート受け４２、及び、絶縁シート受け４２と絶縁シート４３は、各々、穴を挟んで対向する位置に配置される一対のねじにより固定される。
【００３０】
そして、フロアー床受け部において、後入れナット４１が絶縁シート受け４２及び絶縁シート４３を挟んで固定ボルト４５により固定され、その上にフロアー床受け４４が配置され、フロアー床受け４４上にフロアー床２０が配置される。
【００３１】
また、移動ベース（Ｙ軸）絶縁部において、後入れナット４１が絶縁シート受け４２と絶縁シート４３と絶縁間座５４とを挟んでベースチャンネル（Ｙ軸）固定ボルト５５により固定されることにより、移動ベース（Ｘ軸）４０と移動ベース（Ｙ軸）５０とが固定される。
【００３２】
また、ラック固定部において、後入れナット５１上にラック固定板５２が配置され、後入れナット５１とラック固定板５２とコンピュータ機器のラックとがＭ１２等のラック固定ボルト５３により固定されることにより、移動ベース（Ｙ軸）５０とコンピュータ機器のラックとが固定される。
【００３３】
このように、本実施例のフリーサイズ架台１０では、架台３０上に、第１の方向に延在する複数の移動ベース（Ｘ軸）４０を配置し、複数の移動ベース（Ｘ軸）４０上に、第２の方向に延在する複数の移動ベース（Ｙ軸）５０を配置し、移動ベース（Ｙ軸）絶縁部において移動ベース（Ｘ軸）４０と移動ベース（Ｙ軸）５０とを固定し、ラック固定部において移動ベース（Ｙ軸）５０とコンピュータ機器のラックとが固定する。これにより、任意のサイズのコンピュータ機器を、耐荷重を考慮したピッチで固定することができる。
【００３４】
また、フロアー床受け部において移動ベース（Ｘ軸）４０上にフロアー床２０を配置することができるため、コンピュータ機器が設置される部分以外をフロアー床２０で塞ぐことができ、既存フロアーと同等な仕上がりにすることができる。
【００３５】
なお、本考案は上記実施例に限定されるものではなく、その構成は適宜変更可能である。例えば、上記実施例では、フリーサイズ架台１０にコンピュータ機器を固定する場合について記載したが、任意の機器を設置する場合に対して本実施例の構造を同様に適用することができる。
【産業上の利用可能性】
【００３６】
本考案は、様々なサイズや形状のコンピュータ機器などの機器を設置するための架台に利用可能である。
【符号の説明】
【００３７】
１０  フリーサイズ架台
２０  フロアー床
２１  荷重分散板
３０  架台
３０ａ  補助架台
３１  架台固定ベース
３２  レベラー
４０  移動ベース（Ｘ軸）
４１  後入れナット
４２  絶縁シート受け
４３  絶縁シート
４４  フロアー床受け
４５  固定ボルト
５０  移動ベース（Ｙ軸）
５０ａ  サイドフロアー受け
５１  後入れナット
５２  ラック固定板
５２ａ  ラック固定補助プレート
５３  ラック固定ボルト
５４  絶縁間座
５５  ベースチャンネル（Ｙ軸）固定ボルト
【図１】
0003201833.tif 000003
【図２】
0003201833.tif 000004
【図３】
0003201833.tif 000005